(57)【特許請求の範囲】
【請求項１】
エンジン（１１）を被覆するエンジンカバー（１５）の上方に座席シート（１６）を配置し、エンジンカバー（１５）における座席シート（１６）の下方位置にスリット穴（６７）を構成し、前記エンジン（１１）の上部に設けたエアークリーナ（６６）の吸気口（６６ａ）を前記スリット穴（６７）の横側方に偏位した位置に配置し、エンジンカバー（１５）の裏面にはスリット穴（６７）から吸気口（６６ａ）に向かって外気を案内するガイドリブ（６８）を設けると共に、ガイドリブ（６８）内の吸気口（６６ａ）近傍に下方に垂下してスリット穴（６７）から吸気口（６６ａ）への水の侵入を防止する流入阻止板（６９）を設けたことを特徴とする乗用型移動農機のエンジンカバー。
【発明の詳細な説明】
【０００１】
【発明の属する技術分野】
この発明は、移動農機のエンジンカバーの改良に関するものである。
【０００２】
【従来技術】
従来の乗用型移動農機のエンジンカバーは次のように構成されていた。即ち、図１０に示すように、エンジンカバー１５の上方に座席シート１６を配置し、エンジンカバー１５における座席シート１６の周辺部から外側に偏位した位置に開口部１５ａを構成し、エンジン１１の上部に設けたエアークリーナ６６の吸気口６６ａを前記開口部１５ａに下方から対向配置し、開口部１５ａをエンジンカバー１５より上方に突出するキャップ７０により被覆する構成である。
【０００３】
【発明が解決しようとする問題点】
従来装置は、前記のように、エンジンカバー１５の開口部１５ａをエンジンカバー１５より上方に突出するキャップ７０により被覆して、エアークリーナ６６への水の侵入を防止するので、エンジンカバー１５の上面に突出物があって見映えも劣り、コスト高となる欠点があった。
【０００４】
そこで、この発明はこのような欠点を解消しようとするものである。
【０００５】
【問題を解決するための手段】
このような技術的課題を解決するための請求項１の発明は、エンジン（１１）を被覆するエンジンカバー（１５）の上方に座席シート（１６）を配置し、エンジンカバー（１５）における座席シート（１６）の下方位置にスリット穴（６７）を構成し、前記エンジン（１１）の上部に設けたエアークリーナ（６６）の吸気口（６６ａ）を前記スリット穴（６７）の横側方に偏位した位置に配置し、エンジンカバー（１５）の裏面にはスリット穴（６７）から吸気口（６６ａ）に向かって外気を案内するガイドリブ（６８）を設けると共に、ガイドリブ（６８）内の吸気口（６６ａ）近傍に下方に垂下してスリット穴（６７）から吸気口（６６ａ）への水の侵入を防止する流入阻止板（６９）を設けたことを特徴とする。
【０００６】
【発明の作用及び効果】
この発明は、エンジン１１の上部に設けたエアークリーナ６６の吸気口６６ａを前記スリット穴６７の横側方に偏位した位置に配置し、エンジンカバー１５の裏面にはスリット穴６７から吸気口６６ａに向かって外気を案内するガイドリブ６８を設けると共に、ガイドリブ６８内の吸気口６６ａ近傍には下方に垂下する流入阻止板６９を設けたので、スリット穴６７から吸気された外気はガイドリブ６８に案内されて吸気口６６ａからエアークリーナ６６に円滑に吸いこまれ、また、エンジンカバー１５のスリット穴６７の上方に座席シート１６を配置したので、スリット穴６７から水が侵入しにくく、仮に侵入した水がガイドリブ６８内を吸気口６６ａに向かって移動しても、流入阻止板６９により下方に案内されて吸気口６６ａからエアークリーナ６６への侵入を良好に防止することができる。また、エンジンカバー１５には突出物もなくデザイン的にスッキリしたものにしながら、コストの低減を図ることができる。
【０００７】
【発明の実施の形態】
以下、本発明の好ましい実施の形態について説明する。
図１〜図７には苗移植機１が図示されている。この苗移植機１は、乗用の走行車体２の後側に昇降リンク装置３を介して６条植えの苗植付部４が昇降可能に装着されていて、全体で乗用田植機として構成されている。
【０００８】
走行車体２には、左右一対の前輪５，５及び後輪６，６を備えている。機体の前部に配したミッションケース７の左右両側に前輪ファイナルケース８，８が設けられ、この前輪ファイナルケース８，８の下部から外向きに突出する前車輪軸に前輪５，５が取り付けられている。また、ミッションケース７の背面部には、主フレーム９の前端が固着され、その主フレーム９の後端中央部に前後方向水平に設けた後輪ローリング軸を支点にしてローリング自在に後輪ギヤケース１０，１０が設けられ、その後輪ギヤケース１０，１０から外向きに突出する後車軸に後輪６，６が取り付けられている。
【０００９】
エンジン１１は主フレーム９上に搭載されている。エンジン１１の左側面に突出するエンジン出力軸に取り出された回転動力は、第１ベルト伝動装置１２を介して油圧ポンプ（図示省略）の駆動軸から無段変速可能な第２伝動装置１３を介してミッションケース７の前部左側に突出するミッション入力軸７ａに伝達される。
【００１０】
ミッション入力軸７ａよりミッションケース７に入力された回転動力は、ケース内の主変速装置を経由した後、走行動力と外部取出動力に分岐して取り出される。そして、走行動力は、一部が前輪ファイナルケース８，８に伝達されて前輪５，５を駆動し、他は後輪ギヤケース１０，１０に伝達されて後輪６，６を駆動する。また、外部取出動力は、苗植付部４に伝達されてその作動部を駆動する。
【００１１】
エンジン１１の上部はエンジンカバー１５で覆われており、その上に座席シート１６が設けられている。そして、座席シート１６の前方に前輪５，５を操舵操作するハンドル１７が設けられている。また、走行車体２の前部左右両側には、補給用の苗を載せる予備苗載せ台１８が設けられている。
【００１２】
昇降リンク装置３は平行リンク構成であり、１本の上部リンク３ａと左右一対の下部リンク３ｂ，３ｂにより構成している。これらのリンク３ａ，３ｂ，３ｂは、その基部側が主フレーム９の後端部に立設したリンク前フレーム３ｃに回動自在に軸支され、その先端部にリンク後フレーム３ｄが連結されている。そして、リンク後フレーム３ｄに苗植付部４がローリング自在に装着されている。
【００１３】
主フレーム９に固着した支持部材と上部リンク３ａに一体形成したスイングアーム１９の先端との間に、油圧昇降シリンダ２０が介装されており、該シリンダを油圧で伸縮させることにより、上部リンク３ａが上下に回動し、リンク後フレーム３ｄに連結した苗植付部４が略一定姿勢で昇降する。油圧昇降シリンダ２０は、走行車体２に設けた油圧昇降バルブ（図示省略）により伸縮制御される。
【００１４】
苗植付部４は例えば６条植えの構成で、苗を一株分づつ所定の苗取出口に供給する苗載せ台２２と、苗取出口に供給された苗を圃場に植え付ける６組の苗植付装置３７，３７，…と、これら苗載せ台２２と苗植付装置３７，３７，…を支持し、且つ、これらに動力を伝達する伝動フレームと、苗植え付けに先行して圃場表面を整地するフロート２５，２５，…とを備えている。
【００１５】
苗載せ台２２は、前側が上位となる前傾姿勢に設けられていて、６面に仕切られた苗載せ部の裏面側で左右方向に往復動自在に支持されている。その下部の支持構成は、苗載せ部の裏面下側部に左右方向に設けた横枠に係合摺動部材２７を固着し、該係合摺動部材２７を伝動フレームの支持パイプ部の上側に設けた左右に長い支持レール２８に左右に摺動自在に係合させる構成である。その上部の支持構成は、伝動フレーム２４に基部が支持された支持フレーム２９，２９に取り付けたローラー３０，３０を、苗載せ部の裏面上部に固着した左右方向の断面コ字形の上部レール３１に係合させた構成である。
【００１６】
前記支持レール２８には、苗載せ台２２上の苗の下端面を受け止める断面Ｌ字形の苗受け枠３２が一体形成されている。この苗受け枠３２の各苗植付装置３７，３７，…に対応する位置に、コ字形に切り欠いだ苗取出口３２ａ，３２ａ，…が形成されている。後述する左右移動機構によって苗載せ台２２が左右に往復動することにより、各苗載せ部位の下端部に位置する苗がこの苗取出口３２ａ，３２ａ，…に順次供給され、苗植付装置３７の植付具３７ｃが苗取出口３２ａを通過し、苗を一株分に分離して取り出す。
【００１７】
各苗載せ台２２，２２，…の裏面側下部には、ベルト式の苗縦送り装置３６，３６，…が夫れ夫れ設けられている。この苗縦送り装置３６，３６，…は、外周部に小さな突起が形成された無端の苗縦送りベルト３６ａを駆動ローラー３６ｂと従動ローラー３６ｃとの間に張設し、引っ張りスプリング３６ｄにより従動ローラー３６ｃの回転軸３６ｅを引っ張り、苗縦送りベルト３６ａを緊張させている。なお、駆動ローラー３６ｂ及び従動ローラー３６ｃは６条分を共通の軸により支持している。
【００１８】
苗載せ台２２が左右行程の端部に到達して、苗載置部の下端部に位置する横一列の苗が全て取り出されると、苗縦送り装置３６の苗縦送りベルト３６ａを所定量だけ回動し、苗を下方に移送する。
左右横移動機構を構成する苗横送り駆動軸４６は、苗載せ台伝動部３８のケース外に突出するように支架されている。この苗横送り駆動軸４６の外周にラセン状の溝４６ａが形成され、リードメタル４８の爪が前記溝４６ａに係合されると共に、リードメタル４８が苗載せ台２２に連結されている。
【００１９】
しかして、苗横送り駆動軸４６が回転すると、溝４６ａに沿ってリードメタル４８が軸方向に移動し、これによって苗載せ台２２が左右に往復動される。すると、苗載せ台２２の下端部に位置する苗が苗取出口３２ａ，３２ａ，…に順次供給される。前記横送り変速装置４５をシフトチェンジし、苗載せ台２２の横移動速度を変更することにより、１行程あたりの苗取り数が複数段に切り替えられる。
【００２０】
また、苗載せ台伝動部３８の左右両端部から苗横送り駆動軸４６の両端部をケース外に突出して、その両端部に苗縦送り駆動軸５７，５７を取り付け、その苗縦送り駆動軸５７の左右両端部には、ローラー５８ａの取り付けられている左・右苗縦送り送りアーム５８，５８を取り付けている。
【００２１】
また、前記苗縦送り装置３６の駆動ローラー３６ｂが取り付けられている駆動ローラー軸３６ｆには、駆動アーム３６ｇがラチェット機構３６ｉを介して取り付けられ、その先端部にローラー３６ｈが支持されている。
次に、図３により前記左・右苗縦送りアーム５８，５８の駆動構成について説明する。左・右苗縦送りアーム５８のカム５８ａが回転すると、このカム５８ａ，５８ａに当接して、左・右苗送り伝達アーム５９，５９が所定角度回動し、左・右苗送り伝達アーム５９，５９と一体回転する苗送り軸６０が駆動される。前記苗送り軸６０には一体的に回転する苗送り駆動アーム６１が設けられ、前記苗送り軸６０の駆動により苗送り駆動アーム６１が駆動される。そして、この駆動アーム６１にピン６２を介して苗送り中継アーム６３が枢支されていて、この苗送り中継アーム６３の先端の切欠き部６３ａが、駆動アーム３６ｇの先端のローラー３６ｈに嵌合する構成となっている。従って、苗送り駆動アーム６１の駆動が前記苗送りアーム３６ｇに伝達される。
【００２２】
苗送りアーム３６ｇにはラチェット機構３６ｉを構成するラチェット爪３６ｉ１が設けられていて、苗送りアーム３６ｇの駆動により前記ラチェット爪３６ｉ１に噛み合うラチェットホイル３６ｉ２が一定方向にのみ駆動され、ラチェットホイル３６ｉ２と苗送り軸６０を介して一体回転する駆動ローラー３６ｂが苗載せ台２２上の苗を苗植付装置３７側に送る方向にのみ回転駆動される。なお、前記左右の苗植付部駆動カム５８ａ，５８ａは、苗載せ台２２の左右方向への移動終端において左・右苗送り伝達アーム５９，５９に当接するように配置されていて、苗載せ台２２の左右移動終端において苗送りベルト３６ａ，３６ａ，…が苗送りを苗植付装置３７，３７，…に所定量ずつ順次移送される。
【００２３】
なお、３６ｊは駆動アーム３６ｇを復帰させる復帰用バネであり、７１は駆動ローラー３６ｂと駆動ローラー軸３６ｆとの間に設けた畦クラッチで、畦クラッチ操作具７２を操作することにより、２条あるいは１条毎の苗送りを停止するものである。
【００２４】
この実施例では、前記ラチェット機構３６ｉを一個設けることとし、その配置位置を駆動ローラー軸３６ｆの最も左右外側寄りに設けている。従って、ローラー軸３６ｆに対して最も負荷のかかる部分にラチェット機構３６ｉを配置したので、仮にラチェット機構３６ｉ部分に不具合が発生しても、メンテナンスを容易に行なうことができる。
【００２５】
次に、図７〜図１０に基づきエンジンカバー１５の構成について説明する。
エンジンカバー１５の上方に座席シート１６を配置し、エンジンカバー１５の座席シート１６の下方位置にスリット穴６７を構成し、エンジン１１の上部に設けたエアークリーナ６６の吸気口６６ａをスリット穴６７の横側方に偏位した位置に配置し、エンジンカバー１５の裏面にはスリット穴６７からエアークリーナ６６の吸気口６６ａに向かって外気を案内するガイドリブ６８を設け、スリット穴６７と吸気口６６ａとの間における吸気口６６ａに近い部位に下方に垂下するように流入阻止板６９を設けている。
【００２６】
なお、スリット穴６７の長手方向、及び、ガイドリブ６８の案内方向は、進行方向Ａに対して斜め前方向に沿わせ、且つ、吸気口６６ａが左右側方に位置し、進行前側から水が侵入しにくい構成としている。
従来装置は、図１０に示すように、エンジンカバー１５の上方に座席シート１６を配置し、エンジンカバー１５の座席シート１６の下方位置に開口部１５ａを設け、エンジン１１の上部に設けたエアークリーナ６６の吸気口６６ａを前記開口部１５ａに下方から対向するように配置し、開口部１５ａをエンジンカバー１５より上方に突出するキャップ７０により被覆する構成である。
【００２７】
従来装置は前記のように、エンジンカバー１５の上部にキャップ７０を設けて、エアークリーナ６６への水侵入を防止する構成であるので、エンジンカバー１５の上面に突出物があって見映えも劣りコスト高となる欠点があった。
しかし、この実施例は前記のように構成することにより、スリット穴６７から吸気された外気はガイドリブ６８に案内されて吸気口６６ａからエアークリーナ６６に吸いこまれ、また、スリット穴６７から水が仮に侵入しても、流入阻止板６９により下方に案内されて吸気口６６ａからエアークリーナ６６への侵入が防止される。また、エンジンカバー１５には突出物もなくデザイン的にスッキリしたものにしながら、コストの低減を図ることができる。
【図面の簡単な説明】
【図１】  移動農機の全体側面図である。
【図２】  移動農機の全体平面図である。
【図３】  要部の切断側面図である。
【図４】  要部の切断側面図である。
【図５】  要部の切断背面図である。
【図６】  要部の切断平面図である。
【図７】  要部の切断正面図、斜視図である。
【図８】  要部の背面図である。
【図９】  要部の平面図である。
【図１０】  従来装置の要部の正面図である。
【符号の説明】
１  移動農機
１１  エンジン
１５  エンジンカバー
１６  座席シート
６６  エアークリーナ
６６ａ  吸気口
６７  スリット穴
６８  ガイドリブ
６９  流入阻止板
７０  キャップ
【図１】
0004747395.tif 000002
【図２】
0004747395.tif 000003
【図３】
0004747395.tif 000004
【図４】
0004747395.tif 000005
【図５】
0004747395.tif 000006
【図６】
0004747395.tif 000007
【図７】
0004747395.tif 000008
【図８】
0004747395.tif 000009
【図９】
0004747395.tif 000010
【図１０】
0004747395.tif 000011